(57)【要約】【課題】耐衝撃性、耐火性、及び耐水性に優れ、人体全体を防護する人体防護用の布を、任意の場所及び時間に瞬時に成形可能な携帯式小型収納容器を提供する。【解決手段】バッグ等に取り付けることが可能なストラップ紐付き携帯式小型容器であって、織布を含む人体防護布と、前記人体防護布と前記携帯式小型容器とを結ぶ糸と、高圧酸素ガスと、を収納し、上面に収納物放出口を有することを特徴とする携帯式小型容器。前記人体防護袋は、耐衝撃性を具備する基材布と、耐水性を具備する樹脂層と、耐火性を具備する不燃層と、を有することを特徴とする。【選択図】  図２
2009254393.tif 000002
【特許請求の範囲】
【請求項１】
バッグ等に取り付けることが可能なストラップ紐付き携帯式小型容器であって、
織布を含む人体防護袋と、
前記人体防護袋と前記携帯式小型容器とを結ぶ糸と、
高圧酸素ガスと、
を収納し、
上面に収納物放出口を有することを特徴とする携帯式小型容器。
【請求項２】
前記人体防護袋は、耐衝撃性を具備する基材布と、耐水性を具備する樹脂層と、耐火性を具備する不燃層と、を有することを特徴とする請求項１記載の携帯式小型容器。
【請求項３】
前記携帯式小型容器の外側面に、収納物放出スイッチを有することを特徴とする請求項１または２に記載の携帯式小型容器。
【請求項４】
前記携帯式小型容器の外側面に、酸素ガス放出停止スイッチを有することを特徴とする請求項１乃至３のいずれか１に記載の携帯式小型容器。
【請求項５】
前記携帯式小型容器の外底面に、緊急警報通知スイッチを有することを特徴とする請求項１乃至４のいずれか１に記載の携帯式小型容器。
【発明の詳細な説明】
【技術分野】
【０００１】
本発明は、耐衝撃性、耐火性、及び耐水性に優れた人体防護用の布を、任意の場所及び時間に瞬時に成形可能な携帯式小型容器に関する。
【背景技術】
【０００２】
自動車等の車両の座席付近に配置されるエアバッグは、交通事故等の衝撃から乗員を防護するものとして多くの車両に搭載されている。
【０００３】
しかし、車両に搭載されたエアバッグは、当該エアバッグで守られる範囲にいる一部の者に対してのみ有効であり、交通事故は車両に乗っている時に限らず歩行中等にも遭う可能性がある上に、車両に乗っていても、エアバッグが搭載されている車両の特定位置にいる者以外は防護されないという問題があった。
【０００４】
また、人体への危険は交通事故に限らず、地震及び火災等の天災の影響も重要な項目であるのに対し、これまでは天災から身を守る方法は主として、天災の影響が及ばない場所へと逃げるしかなく、逃げ遅れた者を救助することは非常に困難であった。
【０００５】
これまでに、ベルトに取り付けることにより身体に固定したエアバッグが、人体の全面に対して開き、転倒時の衝撃を和らげる技術が開示されている（特許文献１）。
【特許文献１】特開平１１−３３５９１１号公報
【発明の開示】
【発明が解決しようとする課題】
【０００６】
特許文献１に示されたようなベルト放出型前面エアバッグでは、転倒時の衝撃は和らげられるものの、上面、側面、及び背面からの衝撃等に対しての防護は何もないという問題がある。
【０００７】
また、ベルトに装着されているために持ち運びは可能になるが、ファッションによってはエアバッグが取り付けられたベルトを身に付けることが難しい場合がある結果、緊急時に当該エアバッグを装着していない可能性があるという問題がある。
【０００８】
本出願は上記問題に鑑みてなされたものであり、耐衝撃性、耐火性、及び耐水性に優れ、人体全体を防護する人体防護用の布を、任意の場所及び時間に瞬時に成形可能な携帯式小型収納容器を提供することを課題とする。
【課題を解決するための手段】
【０００９】
請求項１に記載の発明は、バッグ等に取り付けることが可能なストラップ紐付き携帯式小型容器であって、織布を含む人体防護布と、前記人体防護布と前記携帯式小型容器とを結ぶ糸と、高圧酸素ガスと、を収納し、上面に収納物放出口を有することを特徴とする携帯式小型容器である。
【００１０】
請求項２に記載の発明は、前記人体防護布は、耐衝撃性を具備する基材布と、耐水性を具備する樹脂層と、耐火性を具備する不燃層と、を有することを特徴とする請求項１記載の携帯式小型容器である。
【００１１】
請求項３に記載の発明は、前記携帯式小型容器の外側面に、収納物放出スイッチを有することを特徴とする請求項１又は２に記載の携帯式小型容器である。
【００１２】
請求項４に記載の発明は、前記携帯式小型容器の外側面に、酸素ガス放出停止スイッチを有することを特徴とする請求項１乃至３のいずれか１に記載の携帯式小型容器。
【００１３】
請求項５に記載の発明は、前記携帯式小型容器の外底面に、緊急警報通知スイッチを有することを特徴とする請求項１乃至４のいずれか１に記載の携帯式小型容器。
【発明の効果】
【００１４】
請求項１に記載の携帯式小型容器は、人体防護布と高圧酸素ガスとを収納しているために、任意の使用時に、当該人体防護布が瞬時に開き、布の内側を酸素ガスで満たすことができる。
【００１５】
また、当該携帯式小型容器にバッグ等に取り付けることができるストラップ紐がついていることにより、その日に持ち歩くバッグ等へ付け替えることができ、さらにはバッグ等へ取り付けずにそのまま持ち歩くこともできるため、常に携帯することが可能となる。
【００１６】
請求項２に記載の携帯式小型容器は、人体防護布が耐衝撃性を具備する基材布と、耐水性を具備する樹脂層と、耐火性を具備する不燃層とを有することにより、耐衝撃性、耐水性、及び耐火性を全て備えた防護布を使用することが可能となる。
【００１７】
請求項３に記載の携帯式小型容器は、当該容器側面に収納物放出スイッチがあることにより、手動で人体防護布を開くことができるため、自動感知時の誤作動を起こす問題を回避することができる。
【００１８】
請求項４に記載の携帯式小型容器は、当該容器側面に酸素ガス放出停止スイッチを具備することにより、高圧酸素ガスの放出を任意で停止及び再開することができる。すなわち、収納物放出開始後、人体防護布と共に放出され始めた酸素ガスの放出を途中で止めることができることにより、不要な酸素ガスの排出防止が可能となる。また、任意時間経過後も再放出できることにより、当該容器内に酸素ガスが残っている限りいつでも酸素を得ることが可能となる。
【００１９】
請求項５に記載の携帯式小型容器は、当該容器底面に緊急警報通知スイッチを具備することにより、救助が必要な緊急時には、当該緊急警報通知スイッチを押して警報音を発して周囲に異常を知らせ、救助を要請することが可能となる。
【発明を実施するための最良の形態】
【００２０】
本発明の携帯式小型容器は、人体防護布と、高圧酸素ガスと、を含むものである。
【００２１】
携帯式小型容器１には、図１に示すように、人体防護布２及び高圧酸素ガス収納部３が収納されていて、人体防護布２及び高圧酸素ガス収納部３の吹き出し口とは、放出口５を塞ぐ蓋４で押さえられている。
【００２２】
高圧酸素ガスの放出を停止するときは、酸素ガス放出停止スイッチ（図示せず）を動作させることにより、蓋４で高圧酸素ガス収納部３の吹き出し口を塞ぐ。再放出させるときのは、再度酸素ガス放出停止スイッチを動作させることにより、蓋４を移動させて、再び高圧酸素ガス収納部３の吹き出し口を開くようにする。
【００２３】
緊急警報通知スイッチを動作させることにより発せられる警告音は、人体防護袋２の外部周囲数メートルに亘って当該警告音が響き渡ることが好ましい。
【００２４】
人体防護布２は、布内部にいる人を防護することができる程度の大きさであることが望ましく、例えば図２に示すように、人体防護布２が開いたときの大きさは、人が立っていても横になっていても十分な広さを持つように、半径１メートル、高さ２メートル程度のテント型であることが好ましい。
【００２５】
また、より好ましくは、放出時の衝突を避けることを目的として、携帯式小型容器１の放出口５を基点とするのではなく、放出口５の上方１メートル程度の位置を基点６として人体防護布２が開くようにする。
【００２６】
このとき、放出口５と基点６とをつなぐ役割と、人体防護布２を成形する役割のために、携帯式小型容器１と人体防護布２とは、放出時の衝撃に耐えうる糸７によってつながれている。
【００２７】
さらに、携帯式小型容器１の上方で開いた人体防護布２を下方へと降ろすことができるように、人体防護布２の内面には少なくとも１つの取っ手８が取り付けられていることが好ましく、２つの取っ手が互いに対称位置にあることがより好ましい。
【００２８】
人体防護布２は、図３に示すように、耐衝撃性、耐火性、及び耐水性を具備するものであり、周囲の状況が確認できる程度に視認性を有するものが好ましい。
【００２９】
耐衝撃性を具備する基材布９はオクスフォード織により製織してなる織布からなり、軽量化及び小型化のために、経糸及び緯糸は４００デニール以下、より好ましくは２００デニール以下の太さのものを使用する。
【００３０】
耐水性を具備する樹脂層１０は、基材布９の少なくとも外面側に塗布される。樹脂層１０を構成する樹脂としては、浸水を防止できる樹脂であれば特に限定しないが、フッ素樹脂（ＰＴＥＥ）のエマルジョン樹脂が好ましい。
【００３１】
樹脂層１０を塗布した基材布９を、不燃液と呼ばれる液体に全面含浸したのち乾燥させることにより、表面に耐火性を具備する不燃層１１を形成する。
【００３２】
不燃液には、耐火性能が高い、鉄分を含まない温水の重量比４０％〜８０％とホウ砂（Ｎａ３Ｂ４Ｏ７）１．０％〜５．０％及びホウ酸（１０Ｈ２ＯＨ３ＢＯ３）１．０％〜５．０％並びスルファミン酸アンモニウム（ＮＨ４ＯＳＯ２ＮＨ２）１５％〜５５％を混合したものを用いる。
【００３３】
本発明によれば、耐衝撃性、耐火性、及び耐水性に優れる人体防護用の布を、任意の場所及び時間に瞬時に成形可能であり、当該人体防護布内に入ることにより、全身をあらゆる危険から防護することが可能となる。
【図面の簡単な説明】
【００３４】
【図１】本発明の携帯式小型容器の一実施形態を示す断面図である。
【図２】本発明の携帯式小型容器から放出された人体防護布の一実施形態を示す概念図である。
【図３】本発明の人体防護布の一実施形態を示す断面図である。
【符号の説明】
【００３５】
１    携帯式小型容器
２    人体防護布
３    高圧酸素ガス収納部
４    蓋
５    放出口
６    基点
７    糸
８    取っ手
９    基材布
１０  樹脂層
１１  不燃層
【図１】
2009254393.tif 000003
【図２】
2009254393.tif 000004
【図３】
2009254393.tif 000005